(57)【要約】【課題】簡単な操作で洗浄モードを切り替えて、開弁操作を正確に行うことができる排水弁操作装置を提供する。【解決手段】本発明の排水弁操作装置１は、排水弁２４にそれぞれの一端４０ａ，４４ａが連結された第１連結部材４０及び第２連結部材４４と、第１連結部材及び第２連結部材のそれぞれの他端４０ｂ，４４ｂが連結された回転巻取部３６ｂと、この回転巻取部を回転操作する操作部２６と、を有し、操作部は、第１方向Ｒ１に回転操作した場合には、回転巻取部が第１連結部材を第１方向に第１量α１だけ巻き取ることにより排水弁を第１量だけ引き上げて、大洗浄モードの便器洗浄を実行可能であり、第１方向とは反対の第２方向Ｒ２に回転操作した場合には、回転巻取部が第２連結部材を第２方向に第１量と同一の第２量だけ巻き取ることにより排水弁を第２量だけ引き上げて、小洗浄モードの便器洗浄を実行可能である。【選択図】図４
2018123486.tif 000002
【特許請求の範囲】
【請求項１】
便器に洗浄水を供給する洗浄水タンク装置の排水弁を開弁操作する排水弁操作装置であって、
上記排水弁にそれぞれの一端が連結された第１連結部材及び第２連結部材と、
上記第１連結部材及び上記第２連結部材のそれぞれの他端が連結された回転巻取部と、
この回転巻取部を回転操作する操作部と、を有し、
上記操作部は、第１方向に回転操作した場合には、上記回転巻取部が上記第１連結部材を上記第１方向に第１量だけ巻き取ることにより上記排水弁を上記第１量だけ引き上げて、第１洗浄水量による第１洗浄モードの便器洗浄を実行可能であり、
上記第１方向とは反対の第２方向に回転操作した場合には、上記回転巻取部が上記第２連結部材を上記第２方向に上記第１量と同一の第２量だけ巻き取ることにより上記排水弁を上記第２量だけ引き上げて、上記第１洗浄水量と異なる第２洗浄水量による第２洗浄モードの便器洗浄を実行可能であることを特徴とする排水弁操作装置。
【請求項２】
上記操作部は、上記排水弁の動作を電動で操作可能な電動操作ユニットであり、この電動操作ユニットは、外部からの電力により回転駆動可能な電動回転軸を備え、この電動回転軸は、上記回転巻取部に連結され、
上記回転巻取部は、上記電動回転軸の回転駆動により上記電動回転軸の回転半径よりも大きい回転半径で回転可能である請求項１記載の排水弁操作装置。
【請求項３】
上記回転巻取部の外周には、上記第１連結部材及び上記第２連結部材のそれぞれの他端が取り付け可能な第１取付部及び第２取付部がそれぞれ設けられ、各取付部は、上記回転巻取部の回転中心軸線方向にほぼ並列して配置され、
上記第１連結部材及び上記第２連結部材は、上記回転巻取部の平面視においてその回転中心に対して一方側と他方側とに互いに対称に配置され、
上記電動操作ユニットの電動操作の開始前の状態における上記回転巻取部の上記第１取付部及び上記第１連結部材の他端の待機位置は、上記第１連結部材が上記第１方向に上記回転巻取部の外周に沿って所定長さだけ予め巻き取られた位置に設定されており、且つ、
上記電動操作ユニットの電動操作の開始前の状態における上記回転巻取部の上記第２取付部及び上記第２連結部材の他端の待機位置は、上記第２連結部材が上記第２方向に上記回転巻取部の外周に沿って上記所定長さだけ予め巻き取られた位置に設定されている請求項２記載の排水弁操作装置。
【請求項４】
さらに、上記排水弁と上記第１連結部材の一端とを間接的に連結する第１レバー部と、上記排水弁と上記第２連結部材の一端とを間接的に連結する第２レバー部と、を有し、
上記第１レバー部は、上記第１連結部材を摺動可能に保持すると共に上記第１連結部材の他端を係合／係合解除可能に連結する第１連結部を備え、
上記第２レバー部は、上記第２連結部材を摺動可能に保持すると共に上記第２連結部材の他端を係合／係合解除可能に連結する第２連結部を備えている請求項３記載の排水弁操作装置。
【請求項５】
さらに、上記回転巻取部を回転可能に保持する保持部を有し、
上記回転巻取部及び上記保持部には、上記回転巻取部の回転角度を制限する回転角度制限手段が設けられている請求項１乃至４の何れか１項に記載の排水弁操作装置。
【請求項６】
請求項１乃至５の何れか１項に記載の排水弁操作装置を備えた洗浄水タンク装置。
【請求項７】
上記請求項６記載の洗浄水タンク装置と、この洗浄水タンク装置に接続された水洗大便器と、を備えたことを特徴とするトイレシステム。
【発明の詳細な説明】
【技術分野】
【０００１】
本発明は、排水弁操作装置、洗浄水タンク装置、及び、トイレシステムに係り、特に、便器に洗浄水を供給する洗浄水タンク装置の排水弁を開弁操作する排水弁操作装置、洗浄水タンク装置、及び、トイレシステムに関する。
【背景技術】
【０００２】
従来から、器に洗浄水を供給する洗浄水タンク装置の排水弁を開弁操作する排水弁操作装置として、例えば、特許文献１に記載されているように、操作ハンドルを手動で所定方向に回転操作することにより、共通の回転巻取部材を所定方向に回転操作し、この回転巻取部材が、排水弁に連結された単一の操作ワイヤを巻き上げて、開弁操作するものが知られている。
また、特許文献２に記載されている従来の排水弁操作装置においては、排水弁に連結された単一の共通の操作ワイヤを手動操作ユニットによって手動で引き上げることにより開弁操作が可能であると共に、単一の共通の操作ワイヤを電動駆動ユニットによって自動で引き上げることにより開弁操作が可能なものも知られている。
さらに、特許文献２に記載されている従来の排水弁操作装置においては、洗浄水量が大きい大洗浄モードを実行する際には、操作ワイヤの引き上げ量を大きく設定し、洗浄水量が小さい小洗浄モードを実行する際には、操作ワイヤの引き上げ量を大洗浄モードよりも小さく設定するようになっている。
【先行技術文献】
【特許文献】
【０００３】
【特許文献１】特開２０１４−１９０１３１号公報
【特許文献２】特開２０１５−１９６９４９号公報
【発明の概要】
【発明が解決しようとする課題】
【０００４】
しかしながら、近年では、排水弁操作装置の使い勝手の良さを追求するために、使用者が直接的に手動で操作することだけにこだわらず、排水弁操作装置の操作自体を電動化する等、排水弁の開弁操作の自動化を実現し、いかに簡単な操作で洗浄モードを切り替えて、開弁操作を正確に行うかが、近年要請された課題となっている。
【０００５】
そこで、本発明は、上述した従来技術において要請されている課題を解決するためになされたものであり、簡単な操作で洗浄モードを切り替えて、開弁操作を正確に行うことができる排水弁操作装置、洗浄水タンク装置、及び、トイレシステムを提供することを目的としている。
【課題を解決するための手段】
【０００６】
上述した課題を解決するために、本発明は、便器に洗浄水を供給する洗浄水タンク装置の排水弁を開弁操作する排水弁操作装置であって、上記排水弁にそれぞれの一端が連結された第１連結部材及び第２連結部材と、上記第１連結部材及び上記第２連結部材のそれぞれの他端が連結された回転巻取部と、この回転巻取部を回転操作する操作部と、を有し、上記操作部は、第１方向に回転操作した場合には、上記回転巻取部が上記第１連結部材を上記第１方向に第１量だけ巻き取ることにより上記排水弁を上記第１量だけ引き上げて、第１洗浄水量による第１洗浄モードの便器洗浄を実行可能であり、上記第１方向とは反対の第２方向に回転操作した場合には、上記回転巻取部が上記第２連結部材を上記第２方向に上記第１量と同一の第２量だけ巻き取ることにより上記排水弁を上記第２量だけ引き上げて、上記第１洗浄水量と異なる第２洗浄水量による第２洗浄モードの便器洗浄を実行可能であることを特徴としている。
このように構成された本発明においては、洗浄水量がそれぞれ異なる第１洗浄モード及び第２洗浄モードのそれぞれを実行する際に、操作部を所望の洗浄モードに応じて異なる方向に同一回転操作量だけ単純に回転操作すると、共通の回転巻取部を用いて簡単に異なる洗浄モードに切り替えることができる。
また、回転巻取部が洗浄モードに応じて第１連結部材又は第２連結部材のいずれか一方を同一量だけ巻き取ることにより、洗浄モードに関わらず排水弁の一定の引き上げ量の開弁操作を正確に行うことができ、異なる洗浄モードの便器洗浄を簡単に実行することができる。
【０００７】
本発明において、好ましくは、上記操作部は、上記排水弁の動作を電動で操作可能な電動操作ユニットであり、この電動操作ユニットは、外部からの電力により回転駆動可能な電動回転軸を備え、この電動回転軸は、上記回転巻取部に連結され、上記回転巻取部は、上記電動回転軸の回転駆動により上記電動回転軸の回転半径よりも大きい回転半径で回転可能である。
このように構成された本発明においては、洗浄水量がそれぞれ異なる第１洗浄モード及び第２洗浄モードのそれぞれを実行する際に、電動操作ユニットの電動回転軸を所望の洗浄モードに応じて回転操作すると、回転巻取部について電動回転軸の回転半径よりも大きい回転半径で所望の洗浄モードに応じて異なる方向に同一回転量だけ回転させることができる。
したがって、回転巻取部が洗浄モードに応じて第１連結部材又は第２連結部材のいずれか一方について同一量だけ自動で巻き取ることができる。これにより、洗浄モードに関わらず排水弁の一定の引き上げ量の開弁操作を自動で行うことができ、異なる洗浄モードの便器洗浄を簡単に自動で実行することができる。
また、回転巻取部が電動回転軸の回転半径よりも大きい回転半径で回転可能であるため、電動回転軸の回転角度に対して回転巻取部が第１連結部材又は第２連結部材のいずれか一方について比較的大きな引き上げ量で引き上げることができる。
よって、排水弁の開弁操作を効率良く行うことができる。
【０００８】
本発明において、好ましくは、上記回転巻取部の外周には、上記第１連結部材及び上記第２連結部材のそれぞれの他端が取り付け可能な第１取付部及び第２取付部がそれぞれ設けられ、各取付部は、上記回転巻取部の回転中心軸線方向にほぼ並列して配置され、上記第１連結部材及び上記第２連結部材は、上記回転巻取部の平面視においてその回転中心に対して一方側と他方側とに互いに対称に配置され、上記電動操作ユニットの電動操作の開始前の状態における上記回転巻取部の上記第１取付部及び上記第１連結部材の他端の待機位置は、上記第１連結部材が上記第１方向に上記回転巻取部の外周に沿って所定長さだけ予め巻き取られた位置に設定されており、且つ、上記電動操作ユニットの電動操作の開始前の状態における上記回転巻取部の上記第２取付部及び上記第２連結部材の他端の待機位置は、上記第２連結部材が上記第２方向に上記回転巻取部の外周に沿って上記所定長さだけ予め巻き取られた位置に設定されている。
このように構成された本発明においては、まず、電動操作ユニットの電動操作の開始前の状態から、電動操作ユニットの電動回転軸を第１方向に回転操作した場合には、回転巻取部が待機状態から第１方向に回転し、第１取付部及び第２取付部が待機位置から第１方向に第１量だけ移動する。これにより、第１連結部材については、回転巻取部により待機位置から第１方向にさらに第１量だけ巻き取られる一方、第２連結部材については、回転巻取部により待機位置から第１方向に第１量だけ巻き解かれる。
一方、電動操作ユニットの電動回転軸を第２方向に回転操作した場合には、回転巻取部が待機状態から第２方向に回転し、第１取付部及び第２取付部が待機位置から第２方向に第１量と同一の第２量だけ移動する。これにより、第１連結部材については、回転巻取部により待機位置から第２方向に第２量だけ巻き解かれる一方、第２連結部材については、回転巻取部により待機位置から第２方向にさらに第２量だけ巻き取られる。
したがって、回転巻取部が洗浄モードに応じて第１連結部材又は第２連結部材のいずれか一方を同一量だけ自動でスムーズに巻き取ることができ、洗浄モードに関わらず排水弁の一定の引き上げ量の開弁操作を自動で確実に行うことができる。
また、各取付部が回転巻取部の回転中心軸線方向にほぼ並列して配置されている。さらに、第１連結部材及び第２連結部材が、回転巻取部の平面視においてその回転中心に対して一方側と他方側とに互いに対称に配置されているため、洗浄モードに応じて回転巻取部が回転した際にも、第１連結部材と第２連結部材が互いに干渉することなく、確実に且つスムーズに移動することができる。
【０００９】
本発明において、好ましくは、さらに、上記排水弁と上記第１連結部材の一端とを間接的に連結する第１レバー部と、上記排水弁と上記第２連結部材の一端とを間接的に連結する第２レバー部と、を有し、上記第１レバー部は、上記第１連結部材を摺動可能に保持すると共に上記第１連結部材の他端を係合／係合解除可能に連結する第１連結部を備え、上記第２レバー部は、上記第２連結部材を摺動可能に保持すると共に上記第２連結部材の他端を係合／係合解除可能に連結する第２連結部を備えている。
このように構成された本発明においては、まず、電動操作ユニットの第１方向の回転操作により、回転巻取部が待機状態から第１方向に回転した場合には、第１連結部材が回転巻取部によって第１量だけ巻き取られる。これにより、第１連結部材の一端と第１連結部とが係合した状態で第１連結部材、第１レバー部、及び排水弁が第１量だけ上昇する。
同時に、第２連結部材が回転巻取部によって第１量だけ巻き解かれて、第２連結部材の一端と第２連結部との係合が解除された状態で第２連結部材が第１量だけ下降する。
これらにより、第２レバー部は引き上げられることなく、第１レバー部が第１連結部材により引き上げられて、排水弁の第１洗浄モードによる開弁操作を正確に実行することができる。
一方、電動操作ユニットの第２方向の回転操作により、回転巻取部が待機状態から第２方向に回転した場合には、第２連結部材が回転巻取部によって第１量と同一の第２量だけ巻き取られる。これにより、第２連結部材の一端と第２連結部とが係合した状態で第２連結部材、第２レバー部、及び排水弁が上昇する。
同時に、第１連結部材が回転巻取部によって第２量だけ巻き解かれて、第１連結部材の一端と第１連結部との係合が解除された状態で第１連結部材が第２量だけ下降する。
これらにより、第２レバー部のみが第２連結部材により引き上げられて、排水弁の第２洗浄モードによる開弁操作を正確に実行することができる。
【００１０】
本発明において、好ましくは、さらに、上記回転巻取部を回転可能に保持する保持部を有し、上記回転巻取部及び上記保持部には、上記回転巻取部の回転角度を制限する回転角度制限手段が設けられている。
このように構成された本発明においては、回転巻取部の回転角度を制限する回転角度制限手段が回転巻取部及び保持部に設けられていることにより、洗浄モードに応じて第１方向又は第２方向に回転操作される回転巻取部の回転角度の範囲について、所定角度の範囲内に制限することができる。
したがって、開弁操作時の排水弁の引き上げ量を正確に管理することができる。
【００１１】
また、本発明は、上記排水弁操作装置を備えた洗浄水タンク装置である。
このように構成された本発明においては、洗浄モードに関わらず排水弁の一定の引き上げ量の開弁操作を正確に行うことができ、異なる洗浄モードの便器洗浄を簡単に実行することができる洗浄水タンク装置を提供することができる。
【００１２】
さらに、本発明は、上記洗浄水タンク装置と、この洗浄水タンク装置に接続された水洗大便器と、を備えたことを特徴とするトイレシステムである。
このように構成された本発明においては、洗浄モードに関わらず排水弁の一定の引き上げ量の開弁操作を正確に行うことができ、異なる洗浄モードの便器洗浄を簡単に実行することができるトイレシステムを提供することができる。
【発明の効果】
【００１３】
本発明の排水弁操作装置、洗浄水タンク装置、及び、トイレシステムによれば、簡単な操作で洗浄モードを切り替えて、開弁操作を正確に行うことができる。
【図面の簡単な説明】
【００１４】
【図１】本発明の一実施形態による排水弁操作装置が適用された洗浄水タンク装置を備えたトイレシステムを示す概略分解斜視図である。
【図２】本発明の一実施形態による排水弁操作装置が適用された洗浄水タンク装置の内部構造を示す概略正面図である。
【図３】本発明の一実施形態による排水弁操作装置の電動操作ユニットを示す概略正面図である。
【図４】本発明の一実施形態による排水弁操作装置の電動操作ユニットを斜め上方から見た分解斜視図である。
【図５】本発明の一実施形態による排水弁操作装置の電動操作ユニットを斜め下方から見た分解斜視図である。
【図６】図３のＶＩ−ＶＩ線に沿った断面図である。
【図７】図３のＶＩＩ−ＶＩＩ線に沿った断面図である。
【図８】本発明の一実施形態による排水弁操作装置によって操作される排水弁装置の概略正面断面図であり、開弁操作を開始する前の待機状態（閉弁状態）を示す。
【図９】図８に示す本発明の一実施形態による排水弁操作装置によって操作される排水弁装置における各レバー部と各操作ワイヤとの連結部を拡大した拡大断面図である。
【図１０】本発明の一実施形態による排水弁操作装置の電動操作ユニットを示す図６と同様な断面図であり、大洗浄モードを開始した状態のプーリ及び大洗浄用の操作ワイヤを示す。
【図１１】本発明の一実施形態による排水弁操作装置の電動操作ユニットを示す図７と同様な断面図であり、大洗浄モードを開始した状態のプーリ及び小洗浄用の操作ワイヤを示す。
【図１２】本発明の一実施形態による排水弁操作装置によって操作される排水弁装置の概略正面断面図であり、大洗浄モードを開始したときの開弁状態を示す。
【図１３】本発明の一実施形態による排水弁操作装置によって操作される排水弁装置の概略正面断面図であり、大洗浄モードの閉弁途中の状態を示す。
【図１４】本発明の一実施形態による排水弁操作装置によって操作される排水弁装置の概略正面断面図であり、大洗浄モードが完了した閉弁状態を示す。
【図１５】本発明の一実施形態による排水弁操作装置の電動操作ユニットを示す図６と同様な断面図であり、小洗浄モードを開始した状態のプーリ及び大洗浄用の操作ワイヤを示す。
【図１６】本発明の一実施形態による排水弁操作装置の電動操作ユニットを示す図６と同様な断面図であり、小洗浄モードを開始した状態のプーリ及び小洗浄用の操作ワイヤを示す。
【図１７】本発明の一実施形態による排水弁操作装置によって操作される排水弁装置の概略正面断面図であり、小洗浄モードを開始したときの開弁状態を示す。
【図１８】本発明の一実施形態による排水弁操作装置によって操作される排水弁装置の概略正面断面図であり、小洗浄モードの閉弁途中の状態を示す。
【図１９】本発明の一実施形態による排水弁操作装置によって操作される排水弁装置の概略正面断面図であり、小洗浄モードが完了した閉弁状態を示す。
【発明を実施するための形態】
【００１５】
以下、添付図面を参照して、本発明の一実施形態による排水弁操作装置について説明する。
まず、図１により、本発明の一実施形態による排水弁操作装置が適用される洗浄水タンク装置を備えたトイレシステムの概略について説明する。
図１は、本発明の一実施形態による排水弁操作装置が適用された洗浄水タンク装置を備えたトイレシステムを示す概略分解斜視図である。
【００１６】
図１に示すように、本発明の一実施形態による排水弁操作装置１は、トイレシステムＴの壁掛式水洗大便器２に洗浄水を供給する洗浄水タンク装置４に設けられている。
この洗浄水タンク装置４の左右両側は、トイレシステムＴの水洗大便器２の後端部を壁Ｗ１を介して壁裏側から固定する固定装置６によって固定されている。
また、洗浄水タンク装置４は、壁Ｗ１の裏側領域内に隠蔽された重力給水式の貯水タンク８を備えており、この貯水タンク８内の洗浄水について重力を利用して水洗大便器２に洗浄水を供給するものである。
【００１７】
なお、壁掛式水洗大便器２については、洗浄水タンク装置４から供給された洗浄水が便器本体１０内のボウル部（図示せず）の高さ方向の落差により汚物を排出する、いわゆる、洗い落とし式便器に適用してもよいし、サイホン作用を利用してボウル部（図示せず）内の汚物を吸い込んで排水トラップ管路（図示せず）から一気に外部に排出する、いわゆる、サイホン式便器等、種々の形態の水洗大便器に適用可能である。
【００１８】
つぎに、図２は、本発明の一実施形態による排水弁操作装置が適用された洗浄水タンク装置の内部構造を示す概略正面図である。
図２に示すように、洗浄水タンク装置４の貯水タンク８の内部には、本実施形態の排水弁操作装置１、給水弁装置１２、及び、排水弁装置１４がそれぞれ設けられている。
【００１９】
まず、図２に示すように、給水弁装置１２は、水道等の貯水タンク８の外部の給水源（図示せず）と接続される給水管１６と、この給水管３８から給水される洗浄水の吐水と止水を切り替える給水バルブ１８と、貯水タンク８内の水位の変動に応じて上下動して給水バルブ１８を開閉するフロート２０とを備えている。
なお、給水弁装置１２の詳細については、従来のものと同様であるため、説明を省略する。
【００２０】
つぎに、図２に示すように、排水弁装置１４は、上下動することにより貯水タンク８の底部の排水口２２を開閉する排水弁である排水弁体２４を備えている。
便器洗浄を開始する際には、本実施形態の排水弁操作装置１の操作部である電動操作ユニット２６（詳細は後述する）の電動操作により、排水弁体２４の引き上げ操作（開弁操作）が可能となっている。
また、図２に示すように、排水弁体２４が開弁している状態では、貯水タンク８内の洗浄水が排水口２２からその下方（下流側）の接続管２８内を通過して、便器本体１０の導水路（図示せず）内に流入するようになっている。
【００２１】
つぎに、図３〜図９を参照して、本発明の一実施形態による排水弁操作装置１及び排水弁装置１４の詳細について説明する。
図３は、本発明の一実施形態による排水弁操作装置の電動操作ユニットを示す概略正面図である。
また、図４は、本発明の一実施形態による排水弁操作装置の電動操作ユニットを斜め上方から見た分解斜視図であり、図５は、本発明の一実施形態による排水弁操作装置の電動操作ユニットを斜め下方から見た分解斜視図である。
さらに、図６は、図３のＶＩ−ＶＩ線に沿った断面図であり、図７は、図３のＶＩＩ−ＶＩＩ線に沿った断面図である。
また、図８は、本発明の一実施形態による排水弁操作装置によって操作される排水弁装置の概略正面断面図であり、開弁操作を開始する前の待機状態（閉弁状態）を示す。
【００２２】
まず、図３〜図７に示すように、本実施形態による排水弁操作装置１は、ホルダ３０を介して貯水タンク８内に固定された電動操作ユニット２６、上下のケーシング３２，３４、プーリ３６、留め具３８、第１連結部材である大洗浄モード用の操作ワイヤ４０、その外側の保護チューブ４２、第２連結部材である小洗浄モード用の操作ワイヤ４４、その外側の保護チューブ４６を備えている。
【００２３】
電動操作ユニット２６は、ＤＣモータ（図示せず）、ギヤボックス（図示せず）、及び、アクチュエータ（図示せず）等を内蔵しており、外部からの電力により回りに回転駆動可能な電動回転軸２６ａを備えている。
また、電動操作ユニット２６の操作においては、例えば、水洗大便器２の周辺に設置された人感センサ（図示せず）が感知して送信された信号、及び／又は、使用者がリモコン（図示せず）等を操作して送信された信号に基づいて、コントローラ（図示せず）がＤＣモータ（図示せず）やアクチュエータ（図示せず）の駆動を制御し、電動回転軸２６ａの回転駆動が制御されるようになっている。
さらに、電動操作ユニット２６には、電動回転軸２６ａが初期位置Ｐ０から所定の回転角度θ１だけ回転した後に、電動回転軸２６ａを反転させる方向に付勢して初期位置Ｐ０に確実に復帰させる戻りばね（図示せず）等も設けられている。
なお、これらの電動操作ユニット２６の構造の詳細については、従来の構造と同様であるため、説明を省略する。
また、本実施形態では、人感センサ（図示せず）及びリモコン（図示せず）の双方を備えた形態であってもよいし、いずれか一方を省略して他方のみから送信される信号に基づいて、コントローラ（図示せず）が電動操作ユニット２６の電動回転軸２６ａを作動させるようにしてもよい。
【００２４】
つぎに、図４〜図７に示すように、上下のケーシング３２，３４は、プーリ３６を回転可能に保持する保持部である。
また、プーリ３６は、電動操作ユニット２６の電動回転軸２６ａが連結される軸部３６ａと、この軸部３６ａから半径方向外側に突出する概ね円環状の回転巻取部３６ｂとを備えている。
プーリ３６の軸部３６ａの内部には、その軸方向に雌穴３６ｃ（図５参照）が形成されており、電動操作ユニット２６の電動回転軸２６ａは下側から挿入可能となっている。
また、プーリ３６の軸部３６ａの雌穴３６ｃに電動回転軸２６ａが挿入された状態では、プーリ３６の軸部３６ａの外面の所定位置に留め具３８が外側から嵌められることにより、プーリ３６の軸部３６ａが電動回転軸２６ａに対して固定され、軸方向に抜け止めされるようになっている。
【００２５】
さらに、図８に示すように、大洗浄モード用の操作ワイヤ４０の一端の突起４０ａは、詳細は後述する排水弁装置１４の第１レバー部（大洗浄モード用の操作レバー４８）の第１連結部（連結部４８ａ）に係合／係合解除可能に連結されている。
同様に、小洗浄モード用の操作ワイヤ４４の一端の突起４４ａは、詳細は後述する排水弁装置１４の第２レバー部（小洗浄モード用の操作レバー５０）の第２連結部（連結部５０ａ）に係合／係合解除可能に連結されている。
一方、プーリ３６の回転巻取部３６ｂの外周面には、第１取付部である取付穴３６ｄ及び第２取付部である取付穴３６ｅ（図５参照）がそれぞれ設けられている。そして、各操作ワイヤ４０，４４の他端の突起４０ｂ，４４ｂは、プーリ３６の回転巻取部３６ｂの各取付穴３６ｄ，３６ｅ（図５参照）にそれぞれ嵌合されている。
また、図５に示すように、回転巻取部３６ｂの各取付穴３６ｄ，３６ｅ同士は、回転巻取部３６ｂの回転軸線Ａ１方向にほぼ並列して配置されている。そして、大洗浄モード用の操作ワイヤ４０の突起４０ｂが取り付けられる取付穴３６ｄが上方に位置し、小洗浄モード用の操作ワイヤ４４の突起４４ｂが取り付けられる取付穴３６ｅが下方に位置している。
さらに、図５に示すように、プーリ３６の回転巻取部３６ｂの外周面には、各取付穴３６ｄ，３６ｅ以外のほぼ全周に亘って、ガイド溝３６ｆ，３６ｇがそれぞれ上下並列に形成されている。そして、各操作ワイヤ４０，４４は、回転巻取部３６ｂにより巻き取られる際に、対応するガイド溝３６ｆ，３６ｇに沿ってガイドされるようになっている。
なお、各操作ワイヤ４０，４４は、それぞれに対応する各保護チューブ４２，４６に対して摺動可能となっている。
また、図８に示すように、各保護チューブ４２，４６の各一端４２ａ，４６ａは、排水弁装置１４の上方部分にそれぞれ固定されている。
一方、図４〜図７に示すように、各保護チューブ４２，４６の各他端４２ｂ，４６ｂは、ケーシング３２，３４により上下から挟持されて固定されている。
【００２６】
つぎに、図６及び図７において、プーリ３６の回転中心軸線Ａ１を通り左右方向に延びる軸線を「Ｘ」、及び、プーリ３６の回転中心軸線Ａ１を通り前後方向に延びる軸線を「Ｙ」とする。
図６及び図７に示すように、各保護チューブ４２，４６の各他端４２ｂ，４６ｂは、平面視において、プーリ３６の回転中心軸線Ａ１及び軸線Ｘに対して互いに対称に配置されており、それぞれ前側と後側に位置している。
したがって、図６及び図７に示すように、大洗浄モード用の操作ワイヤ４０及び小洗浄モード用の操作ワイヤ４４についても、プーリ３６の回転中心軸線Ａ１及び軸線Ｘに対して互いに対称に配置されており、それぞれ前側と後側に位置している。
また、図６に示すように、電動操作ユニット２６の電動操作が開始される前の待機状態Ｓ０では、大洗浄モード用の操作ワイヤ４０が、ガイド溝３６ｆとの接点Ｃ１からガイド溝３６ｆに沿って第１方向Ｒ１に所定長さα０だけ予め巻き取られた状態となっている。
すなわち、図６に示すように、回転巻取部３６ｂの第１取付穴３６ｄ及び操作ワイヤ４０の突起４０ｂのそれぞれの待機位置Ｐ０は、操作ワイヤ４０が、ガイド溝３６ｆとの接点Ｃ１からガイド溝３６ｆに沿って第１方向Ｒ１に所定長さα０だけ予め巻き取られた位置に設定されている。
また、図６に示すように、この操作ワイヤ４０が予め巻き取られた所定長さα０は、ガイド溝３６ｆの全周（円弧）長さのほぼ１／４の長さとなっている。
同様に、図７に示すように、小洗浄モード用の操作ワイヤ４４についても、ガイド溝３６ｇとの接点Ｃ２からガイド溝３６ｇに沿って第２方向Ｒ２に所定長さα０だけ予め巻き取られた状態となっている。
すなわち、図７に示すように、回転巻取部３６ｂの第２取付穴３６ｅ及び操作ワイヤ４４の突起４４ｂのそれぞれの待機位置Ｐ０についても、操作ワイヤ４４が、ガイド溝３６ｇとの接点Ｃ２からガイド溝３６ｇに沿って第１方向Ｒ１とは反対の第２方向Ｒ２に所定長さα０だけ予め巻き取られた位置に設定されている。
また、図７に示すように、この操作ワイヤ４４が予め巻き取られた所定長さα０は、ガイド溝３６ｇの全周（円弧）長さのほぼ１／４の長さとなっている。
【００２７】
つぎに、図４及び図６に示すように、回転巻取部３６ｂの内周側には、中心軸線Ａ１を中心に半円弧状に回転制限用のガイド溝３６ｈが形成されている。
また、図５及び図６に示すように、上側ケーシング３４内の天面には、回転制限用のガイド溝３６ｈ内に突出する回転制限用の突起３４ａが設けられている。
これらの回転制限用のガイド溝３６ｈ及び回転制限用の突起３４ａは、プーリ３６が回転中心軸線Ａ１を中心に回転して際に、プーリ３６の回転角度を制限する回転角度制限手段と機能するようになっている。
すなわち、洗浄モードに応じてプーリ３６が第１方向Ｒ１又は第２方向Ｒ２に回転操作された際には、回転制限用の突起３４ａが回転制限用のガイド溝３６ｈの周方向の端部の一方に当接することにより、プーリ３６の回転可能な角度範囲が制限されるようになっている。
ここで、図６に示すように、電動操作ユニット２６の電動操作が開始される前の待機状態Ｓ０における回転制限用の突起３４ａの待機位置Ｐ０は、平面視でプーリ３６の回転中心軸線Ａよりも右側領域で且つ軸線Ｘ上に位置している。
また、図６に示すように、電動操作ユニット２６の電動操作が開始される前の待機状態Ｓ０における回転制限用のガイド溝３６ｈの待機位置Ｐ０では、平面視でガイド溝３６ｈの周方向の両端部３６ｉ，３６ｊのそれぞれが、プーリ３６の回転中心軸線Ａよりも前側領域と後側領域のそれぞれに位置し、かつ、軸線Ｙ上に位置している。
すなわち、図６に示すように、平面視における待機位置Ｐ０のガイド溝３６ｈの両端部３６ｉ，３６ｊは、突起３４ａｊを中心にガイド溝３６ｈの周方向に対称に位置している。
【００２８】
つぎに、図８に示すように、洗浄水タンク装置４の貯水タンク８内に設けられている排水弁装置１４は、洗浄水タンク装置４が壁Ｗ１の裏側に隠蔽されて、貯水タンク８内の奥行スペースも小さく限られている。したがって、貯水タンク８内に配置された排水弁装置１４の全体形状についても、概ね細長くスリムな筒状形状となっている。
また、排水弁装置１４は、排水口形成部材５２、排水弁体２４、大洗浄用制御筒５４、フロート５６、小洗浄用制御筒５８、水錘６０、カム６２、制御筒蓋６４、オーバーフロー管６６、大洗浄モード用の操作レバー４８、フック部材６８、及び、小洗浄モード用の操作レバー５０を備えている。
【００２９】
まず、図８に示すように、排水口形成部材５２は、貯水タンク８の底部に接続され、貯水タンク８内の底面に排水口２２を形成する共に、この排水口２２の上縁に沿って弁座５２ａを形成している。
図８に示すように、排水弁体２４は、オーバーフロー管６６の下端付近に取り付けられており、オーバーフロー管６６が最低位置にあるとき、弁座５２ａに当接して排水口２２を閉止するようになっている。
また、図８に示すように、オーバーフロー管６６は、制御筒５４，５８、及び制御蓋６４を上下方向に貫いて上下方向に摺動可能となっている。オーバーフロー管６６の上方開口形成部６６ａの外面には、大洗浄モード用の操作レバー４８が連結されている。
そして、大洗浄モードの開弁操作時に、操作レバー４８が操作ワイヤ４０により引き上げられることにより、オーバーフロー管６６及び排水弁体２４が上昇して、排水口２２が開放されるようになっている。
さらに、図８に示すように、制御蓋６４の内側且つオーバーフロー管６６の上方開口形成部６６ａの下方には、フック部材６８が設けられている。このフック部材６８には、小洗浄モード用の操作レバー５０が連結されている。
そして、小洗浄モードの開弁操作時に、操作レバー５０が操作ワイヤ４４により引き上げられることにより、フック部材６８と共にオーバーフロー管６６及び排水弁体２４が上昇して、排水口２２が開放されるようになっている。
すなわち、オーバーフロー管６６及び排水弁体２４の全体が、実質的には、排水弁として機能するようになっている。
また、貯水タンク８内の水位がオーバーフロー管６６の上端位置を超えた場合には、この超えた洗浄水がオーバーフロー管６６内から、これと常時連通している排水口２２内に排出されるようになっている。
【００３０】
つぎに、図８に示すように、排水口形成部材５２の上方に設けられた大洗浄用制御筒５４内には、フロート５６が設けられている。大洗浄用制御筒５４の側面には、開口面積を調節可能な開口５４ａが形成されており、この開口５４ａにより大洗浄用制御筒５４内と貯水タンク８内とが連通している。
そして、図８に示すように、フロート５６は、大洗浄用制御筒５４内の水位に応じてオーバーフロー管６６と共に上下動可能となっている。
また、このフロート５６は、浮力の影響を受け易い発泡スチロール（ＥＰＳ）等の材料で形成されているため、大洗浄用制御筒５４内の洗浄水によってフロート５６に浮力が作用した際に、フロート５６自体が上昇し易くなっている。
【００３１】
つぎに、図８に示すように、大洗浄用制御筒５４の上方に設けられた小洗浄用制御筒５８内には、桶状の水錘６０が設けられている。小洗浄用制御筒５８の側面には、開口面積を調節可能な開口５８ａが形成されており、この開口５８ａにより小洗浄用制御筒５８内と貯水タンク８内とが連通している。
そして、図８に示すように、水錘６０内には、洗浄水が常時満水に貯水されている。この水錘６０は、小洗浄用制御筒５８内の水位に応じて上下動可能となっている。
なお、オーバーフロー管６６の外面を取り囲む水錘６０の内周側上縁部６０ａは、オーバーフロー管６６が上昇した際に、オーバーフロー管６６の外面のリブ６６ｂが下側から当接可能となっている。そして、オーバーフロー管６６のリブ６６ｂが水錘６０の内周側上縁部６０ａに当接した状態では、オーバーフロー管６６の上昇と共に水錘６０も一体的に上昇可能となっている。
【００３２】
つぎに、図８に示すように、水錘６０には、水錘制御用のカム６２が回動可能に連結されている。
この水錘制御用のカム６２は、大洗浄モードにおいては、常時オーバーフロー管６６に当接しないようになっている。
ちなみに、図８に示すように、待機状態（開弁前の初期位置）のカム６２については、その下端が小洗浄用制御筒５８内の突起５８ｂに当接することにより、カム６２の上端がオーバーフロー管６６に対して遠位側に回動した状態となっている。
その後、大洗浄モードの開弁動作に伴って、オーバーフロー管６６の上昇と共に水錘６０が上昇した際には、カム６２の上端が制御筒蓋６４のガイド部６４ａに当接し、フック部材６８のリブ６８ａ側（近位側）に回動するようになっている。
そして、カム６２の上端がフック部材６８のリブ６８ａに当接して引っ掛かることによりオーバーフロー管６６の外面に当接することなく、水錘６０が宙吊りになるようになっている。
これにより、水錘６０の重量が開弁後のオーバーフロー管６６に対して作用することがないため、オーバーフロー管６６の閉弁動作を遅延させることができるようになっている。
一方、水錘制御用のカム６２は、小洗浄モードにおいては、下降するオーバーフロー管６６に当接することにより、水錘６０の荷重が閉弁時のオーバーフロー管６６に対して作用するようになっている。これにより、小洗浄モード時のオーバーフロー管６６の閉弁動作が、大洗浄モード時よりも早めることができるようになっている。
【００３３】
つぎに、図９は、図８に示す本発明の一実施形態による排水弁操作装置によって操作される排水弁装置における各レバー部と各操作ワイヤとの連結部を拡大した拡大断面図である。
図９に示すように、大洗浄モード用の操作レバー４８及び小洗浄モード用の操作レバー５０の各連結部４８ａ，５０ａには、上下方向に貫く貫通穴４８ｂ，５０ｂがそれぞれ形成されている。
各貫通穴４８ｂ，５０ｂの直径は、各操作ワイヤ４０，４４の直径よりも大きく、かつ、各突起４０ａ，４４ａの直径よりも小さく設定されている。
これにより、各操作ワイヤ４０，４４は、各貫通穴４８ｂ，５０ｂに対して上下方向に摺動可能であると共に、各操作ワイヤ４０，４４が上昇した際には、各突起４０ａ，４４ａは、各連結部４８ａ，５０ａに下側から係合した状態で上方へ抜け出さないようになっている。
【００３４】
つぎに、図６〜図１９を参照して、本発明の一実施形態による排水弁操作装置の動作（作用）について、排水弁装置の動作と合わせて説明する。
まず、図６〜図１４を参照して、本実施形態による排水弁操作装置１を用いて大洗浄モードの開弁操作を行ったときの動作について説明する。
図１０は、本発明の一実施形態による排水弁操作装置の電動操作ユニットを示す図６と同様な断面図であり、大洗浄モードを開始した状態のプーリ及び大洗浄用の操作ワイヤを示す。
また、図１１は、本発明の一実施形態による排水弁操作装置の電動操作ユニットを示す図７と同様な断面図であり、大洗浄モードを開始した状態のプーリ及び小洗浄用の操作ワイヤを示す。
さらに、図１２は、本発明の一実施形態による排水弁操作装置によって操作される排水弁装置の概略正面断面図であり、大洗浄モードを開始したときの開弁状態を示す。
また、図１３は、本発明の一実施形態による排水弁操作装置によって操作される排水弁装置の概略正面断面図であり、大洗浄モードの閉弁途中の状態を示す。
さらに、図１４は、本発明の一実施形態による排水弁操作装置によって操作される排水弁装置の概略正面断面図であり、大洗浄モードが完了した閉弁状態を示す。
【００３５】
まず、図６〜図９に示すように、排水弁装置１４の排水弁体２４が排水口２２を閉止している待機状態Ｓ０から、本実施形態の排水弁操作装置１の電動操作ユニット２６の電動操作により排水弁体２４について、大洗浄モードで開弁操作する。
この際、例えば、使用者がリモコン（図示せず）等の所定の操作ボタン（図示せず）を押すことにより大洗浄モードの便器洗浄操作を指示するか、或いは、人感センサ（図示せず）が使用者を検知すると、これらの信号が制御装置（図示せず）に送信される。
そして、図６及び図７に示す電動操作ユニット２６の電動回転軸２６ａが作動し、この電動回転軸２６ａと共にプーリ３６が回転中心軸線Ａ１を中心に第１方向Ｒ１に回転し、大洗浄モードの開弁操作を開始する。
【００３６】
つぎに、図１０及び図１１に示すように、プーリ３６は、待機位置Ｐ０から回転中心軸線Ａ１を中心に第１方向Ｒ１に回転角度θ１（例えば、θ１＝８３．５［°］）だけ回転し、大洗浄モードの開始状態Ｓ１となる。この状態Ｓ１では、回転巻取部３６ｂの回転制限用のガイド溝３６ｈの一方側の端部３６ｉが回転制限用の突起３４ａに当接し、プーリ３６の回転が制限される（図１０参照）。
このとき、図１０に示すように、大洗浄モード用の操作ワイヤ４０は、プーリ３６の回転巻取部３６ｂのガイド溝３６ｆに巻き付きながら第１量α１［ｍｍ］だけ移動する。
これにより、図１２に示すように、大洗浄モード用の操作ワイヤ４０が待機位置Ｐ０から位置Ｐ１まで第１量α１［ｍｍ］だけ引き上げられる。
同時に、操作ワイヤ４０の突起４０ａが大洗浄モード用の操作レバー４８の連結部４８ａに係合した状態で引き上げられる。
よって、図１２に示すように、大洗浄モード用の操作レバー４８が、第１量α１［ｍｍ］に等しい所定距離Ｈ１［ｍｍ］（Ｈ１＝α１）だけ引き上げられる。
また、図１２に示すように、大洗浄モード用の操作レバー４８の引き上げにより、排水弁装置１４のオーバーフロー管６６及び排水弁体２４についても、閉弁位置Ｐ１から最上位置Ｐ１まで所定距離Ｈ１［ｍｍ］（Ｈ１＝α１）だけ引き上げられる。
このとき、図１２に示すように、大洗浄用制御筒５４内のフロート５６についても、浮力により最上位置まで上昇し、オーバーフロー管６６及び排水弁体２４の上昇をサポートする。
また、図１２に示す状態Ｓ１の排水弁装置１４において、大洗浄モードの開弁動作に伴って、オーバーフロー管６６の上昇と共に、オーバーフロー管６６のリブ６６ｂが水錘６０の内周側上縁部６０ａに下側から当接した状態となる。これにより、水錘６０もオーバーフロー管６６と一体的に上昇する。
さらに、図１２に示すように、カム６２の上端は、制御筒蓋６４のガイド部６４ａの傾斜面に当接し、フック部材６８のリブ６８ａ側（近位側）にガイドされながら回動する。そして、カム６２の上端がフック部材６８のリブ６８ａに当接して引っ掛かる。これにより、オーバーフロー管６６の外面に当接することなく、水錘６０が宙吊りになり、以後、閉弁するまでの間、水錘６０の重量がオーバーフロー管６６に対して作用することがない。
よって、オーバーフロー管６６は、水錘６０の影響を受けることなく、スムーズに最上位置まで引き上げられる。
これらにより、排水弁体２４がスムーズに開弁し、貯水タンク８内の洗浄水が排水口２２から便器本体４の導水路（図示せず）への排水が開始される。
【００３７】
一方、図１１に示すように、小洗浄モード用の操作ワイヤ４４は、プーリ３６の第１方向Ｒ１の回転により、回転巻取部３６ｂのガイド溝３６ｇから巻き解かれながら第１量α１［ｍｍ］だけ移動する。
これにより、図１２に示すように、小モード用の操作ワイヤ４４が待機位置Ｐ０から位置Ｐ１まで第１量α１［ｍｍ］だけ下降する。同時に、操作ワイヤ４４の突起４４ａが小洗浄モード用の操作レバー５０の連結部５０ａに対して係合することなく下降する。
よって、大洗浄モードの開始状態Ｓ１では、小洗浄モード用の操作レバー５０が引き上げられることなく、静止した状態となる。
ちなみに、図１２に示す状態Ｓ１の貯水タンク８内の洗浄水の水位は、図８に示す待機状態Ｓ０の満水水位ＷＬ０から水位ＷＬ１まで低下している。
【００３８】
つぎに、図１０〜図１２に示す状態Ｓ１の後、電動操作ユニット２６のＤＣモータ（図示せず）が所定時間停止して、電動回転軸２６ａが所定時間停止する。これにより、排水弁体２４が最上位置Ｐ１で所定時間開弁した状態になる。
そして、排水弁体２４が所定時間開弁した後、電動操作ユニット２６のＤＣモータ（図示せず）が再び作動する。
これにより、電動回転軸２６ａ及びプーリ３６は、回転中心軸線Ａ１を中心に第２方向Ｒ２に回転角度θ１だけ回転（反転）した後に再び停止し、図６及び図７に示す待機状態Ｓ０と同様な状態２となる。
【００３９】
すなわち、図１０に示す状態Ｓ１から図６に示す状態Ｓ２までの大洗浄モード用の操作ワイヤ４０は、図１０に示す位置Ｐ１から図６に示す位置Ｐ０にまで、プーリ３６の回転巻取部３６ｂのガイド溝３６ｆから巻き解かれながら第１量α１［ｍｍ］だけ移動する。
これにより、図１３に示すように、大洗浄モード用の操作ワイヤ４０は、位置Ｐ１から位置Ｐ０まで第１量α１［ｍｍ］だけ下降した状態Ｓ２となる。
同時に、操作ワイヤ４０の突起４０ａが大洗浄モード用の操作レバー４８の連結部４８ａに対して係合することなく下降する。
【００４０】
一方、図１１に示す状態Ｓ１から図７に示す状態Ｓ２までの小洗浄モード用の操作ワイヤ４４は、図１１に示す位置Ｐ１から図７に示す位置Ｐ０にまで、プーリ３６の回転巻取部３６ｂのガイド溝３６ｇに巻き付きながら第１量α１［ｍｍ］だけ移動する。
これにより、図１３に示すように、小洗浄モード用の操作ワイヤ４４が位置Ｐ１から位置Ｐ０まで第１量α１［ｍｍ］だけ引き上げられた状態Ｓ２となる。
同時に、操作ワイヤ４４の突起４４ａが、小洗浄モード用の操作レバー５０の連結部５０ａ付近まで上昇する。
このとき、図１３に示す状態Ｓ２の貯水タンク８内の水位は、図１２に示す水位ＷＬ１から水位ＷＬ２まで下降している。
また、図１３に示す状態Ｓ２の大洗浄用制御筒５４内の水位についても、図１２に示す満水水位から水位ｈ１まで下降している。これにより、フロート５６も下降するため、このフロート５６と共に、オーバーフロー管６６及び排水弁体２４、並びに、大洗浄モード用の操作レバー４８については、位置Ｐ１から距離Ｈ２（図１３参照）だけ下降した位置Ｐ２となる。
さらに、図１３に示す状態Ｓ２の小洗浄用制御筒５８内の水位についても、満水水位ｔ０から水位ｔ１まで下降している。
しかしながら、図１３に示す状態Ｓ２では、カム６２の上端が、フック部材６８のリブ６８ａに当接して引っ掛かった状態となる。よって、水錘６０及びカム６２はオーバーフロー管６６及び排水弁体２４の動作には関与することなく、水錘６０が小洗浄用制御筒５８内の水位で浮いた状態となっている。
【００４１】
つぎに、図１３に示す状態Ｓ２の後、貯水タンク８内の水位がさらに下降すると、フロート５６の浮力がなくなるため、オーバーフロー管６６及び排水弁体２４、並びに、大洗浄モード用の操作レバー４８がさらに下降する。
最終的には、図１４に示すように、排水弁体２４が弁座５２ａに当接して排水口２２を閉止した状態、すなわち、大洗浄モードが完了した状態Ｓ３となる。
また、図１４に示すように、状態Ｓ３では、フロート５６は、大洗浄用制御筒５４内の洗浄水の水位ｈ２によりフロート５６が浮いた状態となる。
さらに、図１４に示すように、状態Ｓ３では、小洗浄用制御筒５８内の洗浄水の水位ｔ２は、最低水位となっている。しかしながら、カム６２の上端がフック部材６８のリブ６８ａに当接して引っ掛かった状態が維持されているため、小洗浄用制御筒５８内で浮いた状態となっている。
そして、図１４に示すように、貯水タンク８内の水位が大洗浄モードの最低水位ＤＷＬ１となる。
これらの結果、大洗浄モードにおいては、図１４に示すように、貯水タンク８内の満水水位ＷＬ０から最低水位ＤＷＬ１まで低下した洗浄水量が、排水口２２から便器本体１０に導水路（図示せず）に供給されて、大洗浄モードによる便器洗浄が行われる。
【００４２】
つぎに、図６〜図９及び図１５〜図１９を参照して、本実施形態による排水弁操作装置１を用いて小洗浄モードの開弁操作を行ったときの動作について説明する。
図１５は、本発明の一実施形態による排水弁操作装置の電動操作ユニットを示す図６と同様な断面図であり、小洗浄モードを開始した状態のプーリ及び大洗浄用の操作ワイヤを示す。
また、図１６は、本発明の一実施形態による排水弁操作装置の電動操作ユニットを示す図６と同様な断面図であり、小洗浄モードを開始した状態のプーリ及び小洗浄用の操作ワイヤを示す。
さらに、図１７は、本発明の一実施形態による排水弁操作装置によって操作される排水弁装置の概略正面断面図であり、小洗浄モードを開始したときの開弁状態を示す。
また、図１８は、本発明の一実施形態による排水弁操作装置によって操作される排水弁装置の概略正面断面図であり、小洗浄モードの閉弁途中の状態を示す。
さらに、図１９は、本発明の一実施形態による排水弁操作装置によって操作される排水弁装置の概略正面断面図であり、小洗浄モードが完了した閉弁状態を示す。
【００４３】
まず、図６〜図９に示すように、排水弁装置１４の排水弁体２４が排水口２２を閉止している待機状態Ｓ０から、本実施形態の排水弁操作装置１の電動操作ユニット２６の電動操作により排水弁体２４について、小洗浄モードで開弁操作する。
この際、例えば、使用者がリモコン（図示せず）等の所定の操作ボタン（図示せず）を押すことにより小洗浄モードの便器洗浄操作を指示するか、或いは、人感センサ（図示せず）が使用者を検知すると、これらの信号が制御装置（図示せず）に送信される。
そして、図６及び図７に示す電動操作ユニット２６の電動回転軸２６ａが作動し、この電動回転軸２６ａと共にプーリ３６が回転中心軸線Ａ１を中心に第１方向Ｒ１と反対の第２方向Ｒ２に回転し、小洗浄モードの開弁操作を開始する。
【００４４】
つぎに、図１５及び図１６に示すように、プーリ３６は、待機位置Ｐ０から回転中心軸線Ａ１を中心に第２方向Ｒ２に回転角度θ２（例えば、θ２＝８３．５［°］）だけ回転し、小洗浄モードの開始状態Ｓ４となる。この状態Ｓ４では、回転巻取部３６ｂの回転制限用のガイド溝３６ｈの他方側の端部３６ｊが、回転制限用の突起３４ａに当接し、プーリ３６の回転が制限される（図１５参照）。
このとき、図１６に示すように、小洗浄モード用の操作ワイヤ４４は、プーリ３６の回転巻取部３６ｂのガイド溝３６ｇに巻き付きながら、大洗浄モード時の第１量α１と等しい第２量α２［ｍｍ］（α２＝α１）だけ移動する。
これにより、図１７に示すように、小洗浄モード用の操作ワイヤ４４が待機位置Ｐ０から位置Ｐ３まで第２量α２［ｍｍ］だけ引き上げられる。
同時に、操作ワイヤ４４の突起４０ａが小洗浄モード用の操作レバー５０の連結部５０ａに係合した状態で引き上げられる。
よって、図１７に示すように、小洗浄モード用の操作レバー５０が、第２量α２［ｍｍ］に等しい所定距離Ｈ１［ｍｍ］（Ｈ１＝α２）だけ引き上げられる。
また、図１７に示すように、小洗浄モード用の操作レバー５０の引き上げにより、この操作レバー５０に連結されているフック部材６８が引き上げられる。そして、このフック部材６８の上昇により、オーバーフロー管６６が引き上げられる。これにより、排水弁体２４についても、閉弁位置Ｐ０から最上位置Ｐ３まで所定距離Ｈ１［ｍｍ］（Ｈ１＝α２）だけ引き上げられる。
よって、小洗浄モードについても、大洗浄モードと同様な動作で、排水弁体２４がスムーズに開弁し、貯水タンク８内の洗浄水が排水口２２から便器本体４の導水路（図示せず）への排水が開始される。
【００４５】
一方、図１５に示すように、大洗浄モード用の操作ワイヤ４０は、プーリ３６の第２方向Ｒ２の回転により、回転巻取部３６ｂのガイド溝３６ｆから巻き解かれながら第２量α２［ｍｍ］だけ移動する。
これにより、図１７に示すように、大洗浄モード用の操作ワイヤ４０が待機位置Ｐ０から位置Ｐ３まで第２量α２［ｍｍ］だけ下降する。
同時に、操作ワイヤ４０の突起４０ａが大洗浄モード用の操作レバー４８の連結部４８ａに対して係合することなく下降する。
よって、小洗浄モードの開始状態Ｓ４では、大洗浄モード用の操作レバー４８が大洗浄モード用の操作ワイヤ４０自体によっては、引き上げられることはない。
しかしながら、図１７に示すように、状態Ｓ４では、大洗浄モード用の操作レバー４８は、オーバーフロー管６６に連結されているため、オーバーフロー管６６及び排水弁体２４と共に閉弁位置Ｐ０から最上位置Ｐ３まで所定距離Ｈ１［ｍｍ］だけ上昇した状態となる。
【００４６】
また、図１７に示す状態Ｓ４の排水弁装置１４においても、大洗浄モードの開弁動作と同様に、小洗浄モードの開弁動作に伴って、オーバーフロー管６６の上昇と共に、オーバーフロー管６６のリブ６６ｂが水錘６０の内周側上縁部６０ａに下側から当接した状態となる。これにより、水錘６０もオーバーフロー管６６と一体的に上昇する。
ここで、図１７に示す状態Ｓ４の排水弁装置１４の小洗浄用制御筒５８内の水錘６０のカム６２については、その上端が制御筒蓋６４のガイド部６４ａの傾斜面に当接することにより、オーバーフロー管６６側にガイドされながら回動する。
しかしながら、図１７に示す状態Ｓ４の小洗浄モードにおいては、大洗浄モードとは異なり、フック部材６８及びそのリブ６８ａがオーバーフロー管６０と共に上昇した状態となっている。
よって、カム６２の上端がフック部材６８のリブ６８ａに引っ掛かることはなく、オーバーフロー管６６の外面に当接した状態となる。
なお、小洗浄モードにおける図８に示す待機状態Ｓ０から図１７に示す状態Ｓ４に達する前までの開弁途中の状態では、カム６２の上端がオーバーフロー管６６の外面に当接しないため、水錘６０内の水位が満水状態であっても、この水錘６０の重量がオーバーフロー管６６に作用することはない。
また、図１７に示す状態Ｓ４では、貯水タンク８内の洗浄水の水位は、大洗浄モードの状態Ｓ１と同様に、図８に示す待機状態Ｓ０の満水水位ＷＬ０から水位ＷＬ１まで低下している。
【００４７】
つぎに、図１５〜図１７に示す状態Ｓ４の後、電動操作ユニット２６のＤＣモータ（図示せず）が所定時間停止して、電動回転軸２６ａが所定時間停止する。これにより、排水弁体２４が最上位置Ｐ３で所定時間開弁した状態になる。
そして、排水弁体２４が所定時間開弁した後、電動操作ユニット２６のＤＣモータ（図示せず）が再び作動する。
これにより、電動回転軸２６ａ及びプーリ３６は、回転中心軸線Ａ１を中心に第１方向Ｒ１に回転角度θ１だけ回転（反転）した後に再び停止し、図６及び図７に示す待機状態Ｓ０と同様な状態Ｓ５となる。
【００４８】
すなわち、図１６に示す状態Ｓ４から図７に示す状態Ｓ５までの小洗浄モード用の操作ワイヤ４４は、図１６に示す位置Ｐ３から図７に示す位置Ｐ０にまで、プーリ３６の回転巻取部３６ｂのガイド溝３６ｇから巻き解かれながら第２量α２［ｍｍ］だけ移動する。
これにより、図１８に示すように、小洗浄モード用の操作ワイヤ４４は、位置Ｐ３から位置Ｐ０まで第２量α２［ｍｍ］だけ下降する。
同時に、操作ワイヤ４４の突起４４ａが、小洗浄モード用の操作レバー５０の連結部５０ａに対して係合することなく下降する。
【００４９】
一方、図１５に示す状態Ｓ４から図６に示す状態Ｓ５までの大洗浄モード用の操作ワイヤ４０は、図１５に示す位置Ｐ３から図６に示す位置Ｐ０にまで、プーリ３６の回転巻取部３６ｂのガイド溝３６ｆに巻き付きながら第２量α２［ｍｍ］だけ移動する。
これにより、図１８に示すように、大洗浄モード用の操作ワイヤ４０が位置Ｐ３から位置Ｐ０まで第２量α２［ｍｍ］だけ引き上げられた状態Ｓ５となる。
このとき、操作ワイヤ４０の突起４０ａは、大洗浄モード用の操作レバー４８の連結部４８ａに係合することなく、この連結部４８ａから下方に離間している。
また、図１８に示す状態Ｓ５の貯水タンク８内の水位は、図１７に示す水位ＷＬ１から水位ＷＬ３まで下降している。
このとき、図１８に示す状態Ｓ５の小洗浄用制御筒５８内の水位については、満水水位ｔ０から水位ｔ３まで下降している。
さらに、図１８に示す状態Ｓ５では、小洗浄用制御筒５８内の水錘６０は浮いた状態となっているが、カム６２がオーバーフロー管６６に当接した状態が維持されているため、オーバーフロー管６６が水錘６０と共に一体的に下降するようになっている。
【００５０】
つぎに、図１８に示す状態Ｓ５の後、貯水タンク８内の水位がさらに下降すると、オーバーフロー管６６も下降する。このとき、オーバーフロー管６６には水錘６０の重量が作用しているため、オーバーフロー管６６及び排水弁体２４は、大洗浄モードよりも速い速度で下降する。
最終的には、図１９に示すように、排水弁体２４が弁座５２ａに当接して排水口２２を閉止した状態、すなわち、小洗浄モードが完了した状態Ｓ６となる。
また、図１９に示すように、状態Ｓ６では、小洗浄用制御筒５８内の洗浄水の水位ｔ４が最低水位となり、水錘６０も最低位置となっている。このとき、カム６２の下端は、小洗浄用制御筒５８内の突起５８ｂに当接することにより、オーバーフロー管６６から離間する方向（遠位側）に回動し、待機状態の初期位置に復帰する。
そして、図１９に示すように、貯水タンク８内の水位が小洗浄モードの最低水位ＤＷＬ２となる。この小洗浄モードの最低水位ＤＷＬ２は、大洗浄モードの最低水位ＤＷＬ１よりも高い水位（ＤＷＬ２＞ＤＷＬ１）となっている。
これらの結果、小洗浄モードにおいては、図１９に示すように、貯水タンク８内の満水水位ＷＬ０から最低水位ＤＷＬ２まで低下した洗浄水量が、排水口２２から便器本体１０に導水路（図示せず）に排水されて、大洗浄モードの洗浄水量よりも少ない洗浄水量の小洗浄モードによる便器洗浄が行われる。
【００５１】
上述した本発明の一実施形態による排水弁操作装置１によれば、洗浄水量がそれぞれ異なる大洗浄モード及び小洗浄モードのそれぞれを実行する際に、電動操作ユニット２６の電動回転軸２６ａを所望の洗浄モードに応じて異なる方向Ｒ１又はＲ２に同一回転操作量θ１だけ単純に回転操作すると、共通のプーリ３６の回転巻取部３６ｂを用いて簡単に異なる洗浄モードに切り替えることができる。
また、回転巻取部３６ｂが各洗浄モードに応じて大洗浄モード用の操作ワイヤ４０又は小洗浄モード用の操作ワイヤ４４のいずれか一方を同一量α１又はα２だけ巻き取ることにより、洗浄モードに関わらず排水弁体２４の一定の引き上げ量Ｈ１の開弁操作を正確に行うことができ、異なる洗浄モードの便器洗浄を簡単に実行することができる。
【００５２】
また、本実施形態による排水弁操作装置１によれば、洗浄水量がそれぞれ異なる大洗浄モード及び小洗浄モードのそれぞれを実行する際に、電動操作ユニット２６の電動回転軸２６ａを所望の洗浄モードに応じて回転操作すると、プーリ３６の回転巻取部３６ｂについて電動回転軸２６ａの回転半径よりも大きい回転半径で所望の洗浄モードに応じて異なる方向Ｒ１又はＲ２に同一回転量だけ回転させることができる。
したがって、プーリ３６の回転巻取部３６ｂが洗浄モードに応じて大洗浄モード用の操作ワイヤ４０又は小洗浄モード用の操作ワイヤ４４のいずれか一方について同一量α１又はα２だけ自動で巻き取ることができる。これにより、洗浄モードに関わらず排水弁体２４の一定の引き上げ量Ｈ１の開弁操作を自動で行うことができ、異なる洗浄モードの便器洗浄を簡単に自動で実行することができる。
また、プーリ３６の回転巻取部３６ｂが電動回転軸２６ａの回転半径よりも大きい回転半径で回転可能であるため、電動回転軸２６ａの回転角度θ１に対してプーリ３６の回転巻取部３６ｂが大洗浄モード用の操作ワイヤ４０又は小洗浄モード用の操作ワイヤ４４のいずれか一方について比較的大きな引き上げ量で引き上げることができる。
よって、排水弁体２４の開弁操作を効率良く行うことができる。
【００５３】
さらに、本実施形態による排水弁操作装置１によれば、まず、電動操作ユニット２６の電動操作の開始前の待機状態Ｓ０から、電動操作ユニット２６の電動回転軸２６を第１方向Ｒ１に回転操作した場合には、プーリ３６の回転巻取部３６ｂが待機状態Ｓ０から第１方向Ｒ１に回転し、各取付穴３６ｄ，３６ｅが待機位置Ｐ０から第１方向Ｒ１に第１量α１だけ移動する。
これにより、大洗浄モード用の操作ワイヤ４０については、回転巻取部３６ｂにより待機位置Ｐ０から第１方向Ｒ１にさらに第１量α１だけ巻き取られる一方、小洗浄モード用の操作ワイヤ４４については、回転巻取部３６ｂにより待機位置Ｐ０から第１方向Ｒ１に第１量α１だけ巻き解かれる。
一方、電動操作ユニット２６の電動回転軸２６ａを第１方向Ｒ１と反対の第２方向Ｒ２に回転操作した場合には、回転巻取部３６ｂが待機状態Ｓ０から第２方向Ｒ２に回転し、各取付穴３６ｄ，３６ｅが待機位置Ｐ０から第２方向Ｒ２に第１量α１と同一の第２量α２だけ移動する。
これにより、大洗浄モード用の操作ワイヤ４０については、回転巻取部３６ｂにより待機位置Ｐ０から第２方向Ｒ２に第２量α２だけ巻き解かれる一方、小洗浄モード用の操作ワイヤ４４については、回転巻取部３６ｂにより待機位置Ｐ０から第２方向Ｒ２にさらに第２量α２だけ巻き取られる。
したがって、回転巻取部３６ｂが洗浄モードに応じて大洗浄モード用の操作ワイヤ４０又は小洗浄モード用の操作ワイヤ４４のいずれか一方について、同一量α１，α２だけ自動でスムーズに巻き取ることができ、洗浄モードに関わらず排水弁体２４の一定の引き上げ量Ｈ１の開弁操作を自動で確実に行うことができる。
また、各取付穴３６ｄ，３６ｅが回転巻取部３６ｂの回転中心軸線Ａ１方向にほぼ並列して配置されている。さらに、大洗浄モード用の操作ワイヤ４０及び小洗浄モード用の操作ワイヤ４４が、図６及び図７に示すように、回転巻取部３６ｂの平面視においてその回転中心軸線Ａ１に対して一方側と他方側とに互いに対称に配置されている。これにより、洗浄モードに応じて回転巻取部３６ｂが回転した際にも、大洗浄モード用の操作ワイヤ４０と小洗浄モード用の操作ワイヤ４４が互いに干渉することなく、確実に且つスムーズに移動することができる。
【００５４】
また、本実施形態による排水弁操作装置１によれば、まず、電動操作ユニット２６の電動回転軸２６ａの第１方向Ｒ１の回転操作により、プーリ３６の回転巻取部３６ｂが待機状態Ｓ０から第１方向Ｒ１に回転した場合には、大洗浄モード用の操作ワイヤ４０が回転巻取部３６ｂによって第１量α１だけ巻き取られる。
これにより、大洗浄モード用の操作ワイヤ４０の一端の突起４０ａと大洗浄モード用の操作レバー４８の連結部４８ａとが係合した状態で、操作ワイヤ４０、大洗浄モード用の操作レバー４８、オーバーフロー管６６、及び排水弁体２４が第１量α１だけ上昇する。
同時に、小洗浄モード用の操作ワイヤ４４が回転巻取部３６ｂによって第１量α１だけ巻き解かれる。
これにより、小洗浄モード用の操作ワイヤ４４の一端の突起４４ａと小洗浄モード用の操作レバー５０の連結部５０ａとの係合が解除された状態で、操作ワイヤ４４が第１量α１だけ下降する。
これらにより、小洗浄モード用の操作レバー５０は引き上げられることなく、大洗浄モード用の操作レバー４８が操作ワイヤ４０により引き上げられて、排水弁体２４の大洗浄モードによる開弁操作を正確に実行することができる。
一方、電動操作ユニット２６の電動回転軸２６ａの第２方向Ｒ２の回転操作により、回転巻取部３６ｂが待機状態Ｓ０から第２方向Ｒ２に回転した場合には、小洗浄モード用の操作レバー５０が回転巻取部３６ｂによって第１量α１と同一の第２量α２だけ巻き取られる。これにより、操作ワイヤ４４の一端の突起４４ａと小洗浄モード用の操作レバー５０の連結部５０ａとが係合した状態で、操作ワイヤ４４、小洗浄モード用の操作レバー５０、オーバーフロー管６６、及び排水弁体２４が上昇する。
同時に、大洗浄モード用の操作ワイヤ４０が回転巻取部３６ｂによって第２量α２だけ巻き解かれて、操作ワイヤ４０の一端の突起４０ａと大洗浄モード用の操作レバー４８の連結部４８ａとの係合が解除された状態で、操作ワイヤ４０が第２量α２だけ下降する。
これらにより、小洗浄モード用の操作レバー５０が操作ワイヤ４４により引き上げられて、排水弁体２４の小洗浄モードによる開弁操作を正確に実行することができる。
【００５５】
さらに、本実施形態による排水弁操作装置１によれば、プーリ３６の回転巻取部３６ｂの回転制限用のガイド溝３６ｈ及び上側ケーシング３４の回転制限用の突起３４ａが、プーリ３６の回転巻取部３６ｂの回転角度θ１を制限する回転角度制限手段として機能している。
これにより、洗浄モードに応じて第１方向Ｒ１又は第２方向Ｒ２に回転操作される回転巻取部３６ｂの回転角度θ１の範囲について、所定角度（例えば、θ１＝８３．５［°］）の範囲内に制限することができる。
したがって、開弁操作時の排水弁体２４の引き上げ量Ｈ１を正確に管理することができる。
【００５６】
また、本実施形態による排水弁操作装置１によれば、洗浄モードに関わらず排水弁体２４の一定の引き上げ量Ｈ１の開弁操作を正確に行うことができ、異なる洗浄モードの便器洗浄を簡単に実行することができる洗浄水タンク装置４を提供することができる。
【００５７】
さらに、本実施形態による排水弁操作装置１によれば、洗浄モードに関わらず排水弁体２４の一定の引き上げ量Ｈ１の開弁操作を正確に行うことができ、異なる洗浄モードの便器洗浄を簡単に実行することができるトイレシステムＴを提供することができる。
【００５８】
なお、上述した本実施形態による排水弁操作装置１においては、壁Ｗ１の裏側に隠蔽された洗浄水タンク装置４に適用し、電動操作ユニット２６の電動操作によって排水弁装置１４を開弁操作する形態を採用している。
しかしながら、本実施形態による排水弁操作装置１は、壁裏等に隠蔽されていない洗浄水タンク装置にも適用可能である。
また、プーリ３６の回転操作については、電動操作ユニット２６による電動操作に限られず、プーリ３６に連結されたハンドル等を手動で回転操作してもよい。
【００５９】
また、上述した本実施形態による排水弁操作装置１においては、２本の操作ワイヤ４０，４４を用いて、大小の２種類の洗浄モードによる便器洗浄が可能な形態について説明した。
しかしながら、本実施形態の排水弁操作装置１と２本の操作ワイヤ４０，４４を変更することなく、排水弁装置１４の構造のみを適宜変更することにより、例えば、大中小の３種類の洗浄モード、或いは、４種類以上の洗浄モードによる便器洗浄を可能にすることができる。
【００６０】
さらに、上述した本実施形態の排水弁操作装置１では、プーリ３６の回転角度を制限する手段として、上側ケーシング３４の回転制限用の突起３４ａを雄側とし、回転巻取部３６ｂの回転制限用のガイド溝３６ｈを雌側とする形態について説明したが、雄側と雌側とを互いに入れ替えてもよい。
また、プーリと、このプーリを回転可能に保持するケーシングとの双方に対して、プーリが所定角度回転した際に、互いに当接可能な突起等を設けることにより、回転角度を制限するような形態にしてもよい。
【符号の説明】
【００６１】
１    排水弁操作装置
２    壁掛式水洗大便器
４    洗浄水タンク装置
６    固定装置
８    貯水タンク
１０    便器本体
１２    給水弁装置
１４    排水弁装置
１６    給水管
１８    給水バルブ
２０    フロート
２２    排水口
２４    排水弁体（排水弁）
２６    電動操作ユニット（操作部）
２６ａ  電動回転軸（操作部）
２８    接続管
３０    ホルダ
３２    下側ケーシング（保持部）
３４    上側ケーシング（保持部）
３４ａ  回転制限用の突起（回転角度制限手段）
３６    プーリ
３６ａ  軸部
３６ｂ  回転巻取部
３６ｃ  雌穴
３６ｄ  取付穴（第１取付部）
３６ｅ  取付穴（第２取付部）
３６ｆ  ガイド溝
３６ｇ  ガイド溝
３６ｈ  回転制限用のガイド溝（回転角度制限手段）
３６ｉ  ガイド溝の周方向の端部
３６ｊ  ガイド溝の周方向の端部
３８    留め具
４０    大洗浄モード用の操作ワイヤ（第１連結部材）
４０ａ  突起（第１連結部材の一端）
４０ｂ  突起（第１連結部材の他端）
４２    保護チューブ
４２ａ  保護チューブの一端
４２ｂ  保護チューブの他端
４４    小洗浄モード用の操作ワイヤ（第２連結部材）
４４ａ  突起（第２連結部材の一端）
４４ｂ  突起（第２連結部材の他端）
４６    保護チューブ
４６ａ  保護チューブの一端
４６ｂ  保護チューブの他端
４８    大洗浄モード用の操作レバー（第１レバー部）
４８ａ  連結部（第１連結部）
４８ｂ  貫通穴
５０    小洗浄モード用の操作レバー（第２レバー部）
５０ａ  連結部（第２連結部）
５０ｂ  貫通穴
５２    排水口形成部材
５２ａ  弁座
５４    大洗浄用制御筒
５４ａ  開口
５６    フロート
５８    小洗浄用制御筒
５８ａ  開口
５８ｂ  突起
６０    水錘
６０ａ  内周側上縁部
６２    カム
６４    制御筒蓋
６４ａ  ガイド部
６６    オーバーフロー管
６６ａ  上方開口形成部
６６ｂ  リブ
６８    フック部材
６８ａ  リブ
Ａ１      電動回転軸及びプーリの回転中心軸線
Ｃ１      接点
Ｈ１      距離
Ｈ２      距離
ｈ１      大洗浄用制御筒内の水位
ｈ２      大洗浄用制御筒内の最低水位
Ｗ１      壁
Ｐ０      待機位置
Ｐ１      大洗浄モードの開弁操作位置
Ｐ２      大洗浄モードの閉弁途中位置
Ｐ３      小洗浄モードの開弁操作位置
Ｒ１      第１方向
Ｒ２      第２方向
Ｓ０      待機状態、閉弁状態
Ｓ１      大洗浄モードの開始状態
Ｓ２      大洗浄モードの閉弁途中状態
Ｓ３      大洗浄モードが完了した閉弁状態
Ｓ４      小洗浄モードの開始状態
Ｓ５      小洗浄モードの閉弁途中状態
Ｓ６      小洗浄モードが完了した閉弁状態
Ｔ        トイレシステム
ｔ０      洗浄用制御筒内の満水水位
ｔ１      小洗浄用制御筒内の水位
ｔ２      小洗浄用制御筒内の最低水位
ｔ３      小洗浄用制御筒内の水位
ＷＬ０    満水水位
ＷＬ１    水位
ＷＬ２    水位
ＷＬ３    水位
ＤＷＬ１  大洗浄モードの最低水位
ＤＷＬ２  小洗浄モードの最低水位
Ｘ        プーリの回転中心軸線を通り左右方向に延びる軸線
Ｙ        プーリの回転中心軸線を通り前後方向に延びる軸線
α０      待機状態の操作ワイヤの巻き取り長さ
α１      大洗浄モード開始状態の操作ワイヤの巻き取り長さ
α２      小洗浄モード開始状態の操作ワイヤの巻き取り長さ
θ１      回転角度
θ２      回転角度
【図１】
2018123486.tif 000003
【図２】
2018123486.tif 000004
【図３】
2018123486.tif 000005
【図４】
2018123486.tif 000006
【図５】
2018123486.tif 000007
【図６】
2018123486.tif 000008
【図７】
2018123486.tif 000009
【図８】
2018123486.tif 000010
【図９】
2018123486.tif 000011
【図１０】
2018123486.tif 000012
【図１１】
2018123486.tif 000013
【図１２】
2018123486.tif 000014
【図１３】
2018123486.tif 000015
【図１４】
2018123486.tif 000016
【図１５】
2018123486.tif 000017
【図１６】
2018123486.tif 000018
【図１７】
2018123486.tif 000019
【図１８】
2018123486.tif 000020
【図１９】
2018123486.tif 000021